(57)【特許請求の範囲】
【請求項１】
直交する主副２つの走査方向に沿って載置領域への原稿の位置決めを補助する部材であって、同一条件の光が照射された場合の反射光の光量が最大および最小となる第１の色および第２の色の所定長および所定幅の領域が、最小サイズの原稿が前記部材によって位置決めされる範囲にある前記載置領域に沿ってそれぞれがすくなくとも一つは組になって、前記部材の光が照射される側の面に配置される前記原稿位置決めガイドと、
前記原稿および前記第１の色および前記第２の色の領域を含んだ前記原稿の近傍に照射される光の反射光に応じた画像信号を出力する原稿読取手段と、
前記第１の色の領域から前記載置領域への方向、あるいは、前記第２の色の領域から前記載置領域への方向のすくなくともいずれか一つの方向における前記画像信号が示す前記反射光の変化に基づいて、前記原稿の載置領域からの反射光に対応する前記画像信号の抽出位置を検出する検出手段と
を具備することを特徴とする画像読取装置。
【請求項２】
直交する主副２つの走査方向に沿って載置領域への原稿の位置決めを補助する部材であって、同一条件の光が照射された場合の反射光の光量が最大および最小となる第１の色および第２の色の所定長および所定幅の領域が、最小サイズの原稿が前記部材によって位置決めされる範囲にある前記載置領域に沿ってそれぞれがすくなくとも一つは組になって、前記部材の光が照射される側の面に配置される前記原稿位置決めガイドと、
前記原稿および前記原稿の近傍である前記原稿位置決めガイドの前記第１の色および第２の色の領域を含む近傍に照射される光の反射光に応じた画像信号を出力する原稿読取手段とを具備する画像読取装置に対して、
前記第１の色の領域から前記載置領域への方向、あるいは、前記第２の色の領域から前記載置領域への方向のいずれか一つの方向における前記画像信号が示す前記反射光の変化に基づいて、前記原稿の載置領域からの反射光に対応する前記画像信号の抽出位置を検出する検出処理を実行させる
ことを特徴とする原稿読取位置検出プログラム。
【発明の詳細な説明】
【技術分野】
【０００１】
本発明は、画像読取装置および原稿読取位置検出プログラムに関する。
【背景技術】
【０００２】
従来、プランテンガラス上に置いた原稿を走査して読み取る画像読取装置（例えば、スキャナー等）において、原稿を画像読取装置のプラテンに設けられた原稿位置決めガイドに突き当てることにより、原稿の原稿先端と読取開始位置とを一致させている。ただし、原稿先端と読取開始位置とに多少のずれが生じることが多く、工場出荷時からずれている場合もあり、経年変化でメカ的にずれてしまう場合もある。読取開始位置にずれが生じると、例えば、読取開始位置が原稿先端よりも外側にある場合、原稿位置合わせガイドの内側を読み込むことになり、実際の読取画像にも原稿位置合わせガイドを読み取った部分が黒筋となって現れ、見栄えの悪い読取画像になってしまう。
【０００３】
例えば、黒マークと白マークを有する基準板により画像読み取りを開始するための基準位置を検出する際、デジタル画像読取手段により画像データを直接読み取って主走査方向の画像データが黒基準のデータから全て白基準のデータに変化した位置を基準位置とする画像読取装置及びその制御方法並びに記憶媒体がある（例えば、特許文献１参照。）。
【特許文献１】特開２０００−１１５４７７号公報
【発明の開示】
【発明が解決しようとする課題】
【０００４】
本発明は、原稿読取位置を検出できる画像読取装置および原稿読取位置検出プログラムを提供することを目的とする。
【課題を解決するための手段】
【０００５】
上記目的を達成するため、請求項１の発明は、直交する主副２つの走査方向に沿って載置領域への原稿の位置決めを補助する部材であって、同一条件の光が照射された場合の反射光の光量が最大および最小となる第１の色および第２の色の所定長および所定幅の領域が、最小サイズの原稿が前記部材によって位置決めされる範囲にある前記載置領域に沿ってそれぞれがすくなくとも一つは組になって、前記部材の光が照射される側の面に配置される前記原稿位置決めガイドと、前記原稿および前記第１の色および前記第２の色の領域を含んだ前記原稿の近傍に照射される光の反射光に応じた画像信号を出力する原稿読取手段と、前記第１の色の領域から前記載置領域への方向、あるいは、前記第２の色の領域から前記載置領域への方向のすくなくともいずれか一つの方向における前記画像信号が示す前記反射光の変化に基づいて、前記原稿の載置領域からの反射光に対応する前記画像信号の抽出位置を検出する検出手段とを具備することを特徴とする。
【０００６】
また、請求項２の発明は、直交する主副２つの走査方向に沿って載置領域への原稿の位置決めを補助する部材であって、同一条件の光が照射された場合の反射光の光量が最大および最小となる第１の色および第２の色の所定長および所定幅の領域が、最小サイズの原稿が前記部材によって位置決めされる範囲にある前記載置領域に沿ってそれぞれがすくなくとも一つは組になって、前記部材の光が照射される側の面に配置される前記原稿位置決めガイドと、前記原稿および前記原稿の近傍である前記原稿位置決めガイドの前記第１の色および第２の色の領域を含む近傍に照射される光の反射光に応じた画像信号を出力する原稿読取手段とを具備する画像読取装置に対して、前記第１の色の領域から前記載置領域への方向、あるいは、前記第２の色の領域から前記載置領域への方向のいずれか一つの方向における前記画像信号が示す前記反射光の変化に基づいて、前記原稿の載置領域からの反射光に対応する前記画像信号の抽出位置を検出する検出処理を実行させることを特徴とする。
【発明の効果】
【０００７】
請求項１および２に記載の発明は、メカ精度、原稿の下地の色に影響されることなくレジ位置を正確に検出することが可能となる。
【発明を実施するための最良の形態】
【０００８】
以下、本発明に係る画像読取装置および原稿読取位置検出プログラムの一実施の形態について、添付図面を参照して詳細に説明する。
【０００９】
図１（ａ）は、画像読取装置で読み取る原稿を置くための原稿台１の外観の一例を示す図である。
【００１０】
図１（ａ）に示すように、原稿台１は板状の透明ガラスから成る透明部材としてのプラテンガラス２と、プラテンガラス２に取り付けられたＬ字状の原稿位置決めガイド３とを備えている。なお、原稿は、原稿位置決めガイド３のエッジ部にて位置決めが補助される。
【００１１】
なお、原稿台１の内部には、副走査方向およびこれと反対方向に往復移動可能なキャリッジを備えたプラテンガラス２に向かって光を照射する光源と、プラテンガラス２上に置かれた原稿または原稿押さえカバー（図示しない）によって反射された光源の光を受光して主走査方向に画像信号を順次出力するＣＣＤラインセンサ等の画像検出器とが設けられている（以後、これらを読取部と総称する）。
【００１２】
読取部の画像検出器は図２に示す矢印に沿って原稿の画像信号を順次出力する。図２に示すように、画像検出器は原稿の左端の外側のライン（図２の矢印Ａ）の上端から下端に向かって（主走査方向）画像信号を順次出力し、このラインの画像信号を全て出力すると、このラインの右横のライン（図２の矢印Ｂ）の上端から下端に向かって（主走査方向）画像信号を順次出力する。これを繰り返し、画像検出器は原稿の右端の外側のライン（図２の矢印Ｃ）の画像信号を全て出力すると、画像信号の出力を終了する。なお、図２に示すように、画像検出器は原稿の範囲の画像信号だけでなく、原稿以外の範囲５の画像信号も出力する。
【００１３】
そこで、図１（ａ）および図１（ｂ）に示すように原稿位置決めガイド３の裏側（つまり、読取部の光源からの光の照射を受ける側）のエッジ部に沿って白パターンおよび黒パターン４のマーキングを行う。なお、図１（ａ）では、原稿位置決めガイド３の大部分に対して白パターンおよび黒パターン４のマーキングを行っているが、最小原稿サイズの範囲内に白パターンおよび黒パターン４を１つずつマーキングを行えば良い。また、パターンの色は白と黒に限定する必要はない。また、白パターンと黒パターンとが必ずしも隣接する必要はない。
【００１４】
図３は、画像読取装置６の機能的な構成の一例を示す図である。
【００１５】
図３に示すように、画像読取装置６は、読取部７、原稿読取位置検出部８、画像処理部９を具備して構成される。
【００１６】
原稿読取位置検出部８は、読取部７から出力される画像信号に基づいて原稿読取位置を検出する処理を行う。
【００１７】
画像処理部９は、読取部７から出力される画像信号に基づいて原稿の読取画像を生成し、生成した読取画像に対して種々の画像処理を行う。
【００１８】
なお、上述した原稿読取位置検出部８を機能として具備する原稿読取位置検出プログラムを汎用の画像読取装置６に組み込んだ構成を適用することも可能であり、その際には、画像読取装置６の記憶部に原稿読取位置検出プログラムが記憶され、画像読取装置６のＣＰＵが記憶部に記憶されている原稿読取位置検出プログラムを実行することになる。また、原稿読取位置検出プログラムは、例えば、各種メモリ、光ディスク等の記憶媒体に記憶して提供することが可能であり、例えば、ネットワーク等の通信回線を介して配信することも可能である。
【００１９】
次に、原稿読取位置検出部８で行う原稿読取位置を検出する処理について説明する。
【００２０】
図４は、下地が白色の原稿を読み取った場合の原稿読取位置を検出する処理の一例を説明する図である。
【００２１】
図４（ａ）は、白パターンから白色原稿への走査方向（図１（ａ）の矢印１または３）における画像信号の値（以後、濃度と称し、濃度が高ければ白を表し、低ければ黒を表す）の変化を示すグラフである。白パターンによって反射された光源の光は濃度が高く、白色原稿によって反射された光源の光も濃度が高いことから、図４（ａ）に示すように白パターン→白色原稿の際の濃度は高く安定している。
【００２２】
図４（ｂ）は、黒パターンから白色原稿への走査方向（図１（ａ）の矢印２または４）における濃度の変化を示すグラフである。黒パターンによって反射された光源の光は濃度が低く、白色原稿によって反射された光源の光は濃度が高いことから、図４（ｂ）に示すように黒パターンから白色原稿に変わる際に濃度は低から高に変化する。
【００２３】
原稿読取位置検出部８は図４（ｂ）に示すグラフにおいて変化が生じた位置を原稿読取位置に決定する。
【００２４】
図５は、下地が黒色の原稿を読み取った場合の原稿読取位置を検出する処理の一例を説明する図である。
【００２５】
図５（ａ）は、白パターンから黒色原稿への走査方向（図１（ａ）の矢印１または３）における濃度の変化を示すグラフである。白パターンによって反射された光源の光は濃度が高く、黒色原稿によって反射された光源の光は濃度が低いことから、図５（ａ）に示すように白パターンから黒色原稿に変わる際に濃度は高から低に変化する。
【００２６】
図５（ｂ）は、黒パターンから黒色原稿への走査方向（図１（ａ）の矢印２または４）における濃度の変化を示すグラフである。黒パターンによって反射された光源の光は濃度が低く、黒色原稿によって反射された光源の光も濃度が低いことから、図５（ｂ）に示すように黒パターン→黒色原稿の際の濃度は低く安定している。
【００２７】
原稿読取位置検出部８は図５（ａ）に示すグラフにおいて変化が生じた位置を原稿読取位置に決定する。
【００２８】
次に、原稿読取位置検出部８で行われる原稿読取位置を検出する処理の流れの一例について図６に示すフローチャートを参照して説明する。
【００２９】
原稿読取位置検出部は読取部から出力される画像信号を受け付けると（Ｓ６０１）、白パターンから原稿への走査方向における濃度の変化を監視し（Ｓ６０２）、白パターンから原稿への走査方向における濃度に変化が生じなかった場合（Ｓ６０２でＮＯ）、Ｓ６０３に進み、また、白パターンから原稿への走査方向における濃度に高から低への変化が生じた場合（Ｓ６０２でＹＥＳ）、Ｓ６０４に進む。
【００３０】
白パターンから原稿への走査方向における濃度に変化が生じなかった場合（Ｓ６０２でＮＯ）、黒パターンから原稿への走査方向における濃度の変化を監視し（Ｓ６０３）、黒パターンから原稿への走査方向における濃度に変化が生じなかった場合（Ｓ６０３でＮＯ）、Ｓ６０２に戻り、また、黒パターンから原稿への走査方向における濃度に低から高への変化が生じた場合（Ｓ６０３でＹＥＳ）、Ｓ６０４に進む。
【００３１】
そして、原稿読取位置検出部は変化が生じた位置を原稿読取位置に決定し（Ｓ６０４）、処理手順を終了する。
【００３２】
なお、白パターンおよび黒パターンのマーキング位置は原稿位置決めガイドのエッジ部に限定する必要はなく、エッジ部から離れた位置にマーキングを行っても良く、エッジ部からマーキングの位置の距離が分かっていれば、その距離を踏まえて原稿読取位置の検出を行えば良い。
【図面の簡単な説明】
【００３３】
【図１】画像読取装置で読み取る原稿を置くための原稿台の一例を示す図である。
【図２】読取部の画像信号の出力を説明する図である。
【図３】画像読取装置の機能的な構成の一例を示す図である。
【図４】下地が白色の原稿を読み取った場合の原稿読取位置を検出する処理の一例を説明する図である。
【図５】下地が黒色の原稿を読み取った場合の原稿読取位置を検出する処理の一例を説明する図である。
【図６】原稿読取位置検出部で行われる原稿読取位置を検出する処理の流れの一例を示すフローチャートである。
【符号の説明】
【００３４】
１    原稿台
２    プラテンガラス
３    原稿位置決めガイド
４    白のパターンおよび黒のパターン
５    原稿以外の範囲
６    画像読取装置
７    読取部
８    原稿読取位置検出部
９    画像処理部
【図１】
0004513847.tif 000002
【図２】
0004513847.tif 000003
【図３】
0004513847.tif 000004
【図４】
0004513847.tif 000005
【図５】
0004513847.tif 000006
【図６】
0004513847.tif 000007